(57)【特許請求の範囲】
【請求項１】
タービンロータの外周部に間隙を介して配置されたダイヤフラム内輪と、前記ダイヤフラム内輪の半径方向外側に配置されたダイヤフラム外輪と、これらダイヤフラム内輪およびダイヤフラム外輪に支持されるとともに、周方向に所定間隔をあけて配列された複数個のタービンノズルと、前記タービンノズルの後縁端に隣接し、かつ、周方向に所定間隔をあけて配列されるように前記タービンロータに取り付けられた複数個の羽根と、からなるタービン段落を１段または複数段有する蒸気タービンの湿分除去装置において、
前記タービンノズルの腹側表面上の中間部から後縁端に亘る部位に、周囲のタービンノズルの腹側表面と同一面で滑らかな表面を有する電熱部を設けたことを特徴とする蒸気タービンのタービン湿分除去装置。
【請求項２】
前記電熱部の近傍に液膜検知センサを設け、当該液膜検知センサの検出信号に基づいて前記電熱部に供給する電力を制御することを特徴とする請求項１記載の蒸気タービンのタービン湿分除去装置。
【請求項３】
前記電熱部の近傍に圧電素子を取り付けたことを特徴とする請求項１又は２記載の蒸気タービンのタービン湿分除去装置。
【請求項４】
前記電熱部の近傍に圧電素子を取り付け、当該圧電素子で発生した電力を前記液膜検知センサに供給するようにしたことを特徴とする請求項２記載の蒸気タービンのタービン湿分除去装置。
【請求項５】
前記圧電素子で発生した電力を前記電熱部に供給するようにしたことを特徴とする請求項３又は４記載の蒸気タービンのタービン湿分除去装置。
【請求項６】
前記ダイヤフラム外輪に設けた空間部に蓄電池を収容し、当該蓄電池に前記圧電素子で発生した電気を蓄積するとともに、当該蓄電池により前記電熱部および液膜検知センサに給電することを特徴とする請求項４記載の蒸気タービンのタービン湿分除去装置。
【請求項７】
前記タービンノズルの表面を加熱する範囲を、翼高さのほぼ中央よりも前記ダイヤフラム外輪側としたことを特徴とする請求項１乃至６のいずれか１項に記載の蒸気タービンのタービン湿分除去装置。
【請求項８】
前記液膜検知センサおよび前記電熱部を複数設け、前記液膜検知センサの検出信号に基づいて前記複数の電熱部の中から加熱すべき電熱部を選択して給電する制御装置を有することを特徴とする請求項２記載の蒸気タービンのタービン湿分除去装置。
【発明の詳細な説明】
【技術分野】
【０００１】
本発明の実施形態は、蒸気タービンのタービン湿分除去装置に関する。
【背景技術】
【０００２】
発電プラントで使用される蒸気タービンの低圧段落においては、蒸気が膨張する過程で作動流体である蒸気の温度および圧力が低くなるため、流路内で蒸気の一部が凝縮し湿分となる。図１０はダイヤフラム内輪２およびダイヤフラム外輪３間に支持されたタービンノズル１と、このタービンノズル１の下流に配置されてタービンロータ５に植設された羽根４との対で構成される低圧タービン最終段落と、同様の構成をもつ前段落の羽根４Ａを加えた領域において蒸気および液滴の軌跡を模式的に示したものである。
【０００３】
図１０において、作動流体である蒸気は流線３６で示されるような軌跡をたどるのに対し、前段落までに発生した湿分は液滴の形態をとっており、羽根４Ａの翼後縁端３７から遠心力によって流線３８のようにタービンノズル１のダイヤフラム外輪３側へ飛散する。
【０００４】
これら水滴はタービンノズル１前縁端３９周辺に付着すると、その表面で水膜４０を形成しながら表面上を後縁に向かって流れ、タービンノズル１後縁端４１に達すると再び水滴となって飛散する。このとき、水滴は慣性により蒸気の流れに乗りきれず羽根４の前縁端４２周辺に衝突し、浸食の原因となる。また水滴の衝突は羽根４の回転に対する制動作用をもたらすほか、水滴の加速のために蒸気のエネルギーが消費されるなど、湿り損失として効率低下の原因ともなる。
【０００５】
このように、タービン効率および信頼性に悪影響を及ぼす湿分を除去するため、様々な構造が提案されている。例えば、タービンノズル表面に付着する湿分を分離除去するために、タービンノズル１内部を中空とし、表面にスリットを設け湿分をタービンノズル内部に捕集して除去するものや、タービンノズル内に高温蒸気を流し、液滴の発生を防ぐもの、さらには、タービンノズル表面に吸水性・熱伝導性に優れた多孔質材を設け、この多孔質材を電気的熱源によって加熱するものもある。
【先行技術文献】
【特許文献】
【０００６】
【特許文献１】特開平１１−２２４１０号公報
【特許文献２】特開平１０−１０３００８号公報
【特許文献３】特開２０１０−１１６９２２号公報
【発明の概要】
【発明が解決しようとする課題】
【０００７】
しかしながら、以上説明した湿分分離方法のうち、タービンノズル表面からスリットを通じて湿分を排出する方法では、図１１のようにタービンノズル１表面上の水膜４０が蒸気の流れに引きずられて移動する過程でいくつかの細流４３や水滴４４に分裂してタービンノズル後縁端４１へ向かう場合も考えられるため、その途中にスリット４５を設けると、内部に湿分だけでなく蒸気も一緒に巻き込まれ、蒸気流量が減少し、タービンの性能が低下する可能性がある。蒸気タービンにとっては、水膜４０だけを選択的に除去できることが望ましい。
【０００８】
また、タービンノズル表面に多孔質材を用いた場合、タービンノズル表面粗さが増して同表面の摩擦損失が増大する。その結果、タービンノズルの空力性能が低下し、タービン効率を下げる欠点がある。
【０００９】
そこで本発明は、タービンノズル表面に形成される液膜の一部または全てを蒸発させて比較的大きな水滴が羽根の負圧面側へ衝突するのを抑制し、制動損失の低減およびエロージョンの抑制を行なうことのできる蒸気タービンの湿分除去装置を提供することを目的とする。
【課題を解決するための手段】
【００１０】
本実施形態に係る蒸気タービンの湿分除去装置は、タービンロータの外周部に間隙を介して配置されたダイヤフラム内輪と、前記ダイヤフラム内輪の半径方向外側に配置されたダイヤフラム外輪と、これらダイヤフラム内輪およびダイヤフラム外輪に支持されるとともに、周方向に所定間隔をあけて配列された複数個のタービンノズルと、前記タービンノズルの後縁端に隣接し、かつ、周方向に所定間隔をあけて配列されるように前記タービンロータに取り付けられた複数個の羽根と、からなるタービン段落を１段または複数段有する蒸気タービンの湿分除去装置において、前記タービンノズルの腹側表面上の中間部から後縁端に亘る部位に、周囲のタービンノズルの腹側表面と同一面で滑らかな表面を有する電熱部を設けたことを特徴とする。
【図面の簡単な説明】
【００１１】
【図１】本発明の第１の実施形態に係る蒸気タービンの湿分除去装置を示す図であり、（ａ）は蒸気タービン段を子午面から見た図、（ｂ）は静翼のＡ−Ａ´断面図。
【図２】本発明の第２の実施形態に係る蒸気タービンの湿分除去装置を示す図。
【図３】本発明の第３の実施形態に係る蒸気タービンの湿分除去装置を示す図であり、（ａ）は蒸気タービン段を子午面から見た図、（ｂ）は静翼のＡ−Ａ´断面図。
【図４】本発明の第４の実施形態に係る蒸気タービンの湿分除去装置を示す図であり、（ａ）は蒸気タービン段を子午面から見た図、（ｂ）は静翼のＡ−Ａ´断面図。
【図５】本発明の第５の実施形態に係る蒸気タービンの湿分除去装置を示す図であり、（ａ）は蒸気タービン段を子午面から見た図、（ｂ）は静翼のＡ−Ａ´断面図。
【図６】本発明の第６の実施形態に係る蒸気タービンの湿分除去装置を示す図。
【図７】本発明の第７の実施形態に係る蒸気タービンの湿分除去装置を示す図。
【図８】従来技術の蒸気タービン段落の蒸気と湿分の流れを子午面から見た図。
【図９】従来技術のスリットを設けた蒸気タービンノズルと湿分の流れを子午面から見た図。
【発明を実施するための形態】
【００１２】
以下、本発明の実施形態に係る蒸気タービンの湿分除去装置について、図面を参照して説明する。なお、各図を通じて同一または類似する部品や部位に共通の符号を付して重複する説明は適宜省略する。
【００１３】
［第１の実施形態］
以下、本発明に係る蒸気タービン湿分除去装置の第１の実施形態について、図１（ａ）、（ｂ）を用いて説明する。
【００１４】
（構成）
図１は第１の実施形態のタービン湿分除去装置の構成を示す図であり、図１（ａ）は任意のタービン段落を示す図であり、図１（ｂ）は図１（ａ）のタービンノズルのＡ−Ａ´断面図である。
【００１５】
蒸気タービンは、ダイヤフラム内輪２とダイヤフラム外輪３の間に周方向に所定間隔で固定されたタービンノズル１と、このタービンノズル１の（蒸気の）下流側に配置され、かつ、タービンロータ５の外周部に植設等で取り付けられた羽根４とからなる一組のタービン段落をロータの長手方向に複数設置して構成されている。
【００１６】
本実施形態では、図１（ｂ）で示すようにタービンノズル１の腹側表面１ａの蒸気の流れ８方向の液膜７が形成される中間部からタービンノズル後縁端に亘る部位に対して湿分除去手段としての電熱部６を設けている。ここで、腹側表面１ａの中間部とは、タービンノズル１の前縁端と後縁端との間の中心部という意味ではなく、前縁端近傍の領域と後縁端近傍の領域との間の領域と言う意味である。
【００１７】
腹側表面１ａの電熱部６を設ける部位は、周囲の部位よりも若干陥没するように段差部１ｂを形成する。そして、この段差部１ｂに耐熱性に富む接着剤によって電熱部６を貼り付ける。
【００１８】
この電熱部６の表面は、図１（ｂ）で示すように電熱部６を貼り付けない周囲の腹側表面１ａと同一面に形成され、かつ、電熱部６自体の表面も滑らかに加工されている。したがって、電熱部６を貼り付けたことによってタービンノズル１の腹側表面１ａに段差部が生じることはなく、また、電熱部６自体の表面も滑らかに加工されているので、タービンノズル１の腹側表面１ａは従来と比べて摩擦損失が増えるようなことはない。
【００１９】
この電熱部６はダイヤフラム外輪３およびこのダイヤフラム外輪３を支える図示しないタービンケーシングを貫通して設けた熱的および電気的に絶縁されたケーブル（以下、単に電気ケーブルという）１０を介して電力量設定装置１１に接続されるようになっている。この電力量設定装置１１の内部構成は特に図示しないが、少なくとも、電源と電力設定部とを備えており、電力設定部では、タービン段落の設計時に各タービン段落で予測される液膜７の発生量に合わせ、液膜７の蒸発に必要な電力が電熱部６に給電するように設定されている。
【００２０】
（作用）
作動流体である蒸気の流れ８がタービンノズル１に流入すると、飽和蒸気の膨張に伴う蒸気温度の低下によって翼前縁端付近で蒸気が凝縮し、液滴９が発生する。この液滴９が液膜７を形成しながらタービンノズル１の腹側表面１ａ上をタービンノズル後縁端に向かって流れ、タービンノズル後縁端に達する再び液滴となって飛散し、回転している羽根４に衝突する。  
この際、飛散した液滴は比較的大きく、羽根４の背側前縁に衝突するため、羽根の回転に制動力をかけ、制動損失を発生させる。
【００２１】
そこで、第１の本実施形態では、タービンノズル１の腹側表面１ａの液膜７が形成される部分からタービンノズル後縁端を含む部位に湿分除去手段としての電熱部６を設け、同電熱部６に電力量設定装置１１から電気ケーブル１０を介して予め設定された電力を供給することによって、タービンノズル１の腹側表面１ａ上をタービンノズル後縁端に向かって流れる液膜７の全て、または大部分を加熱蒸発させ、タービンノズル後縁端で液滴９が再び発生しないようにした。
【００２２】
この結果、従来のようにタービンノズル１後縁端から液滴９が飛散し、回転している羽根４に衝突することはないので、羽根の回転に制動力をかけて制動損失を発生させることはない。
【００２３】
（効果）
以上述べたように、本実施形態の蒸気タービンの湿分除去装置によれば、タービンノズル１の腹側表面１ａの蒸気の流れ方向の液膜７が形成される中間部からタービンノズル後縁端に亘る部位に対して湿分除去手段としての電熱部６を設け、腹側表面１ａ上をタービンノズル後縁端に向かって流れる液膜７を電熱部６により加熱蒸発させるようにしたので、作動蒸気中の湿りが低減され、湿り損失の主要因となる比較的大きな液滴が生成される量を皆無または抑制することができ、タービンの効率が向上し、羽根のエロージョンも抑制することが可能となる。
【００２４】
［第２の実施形態］
以下、本発明に係る蒸気タービン湿分除去装置の第２の実施形態について、図２を用いて説明する。
【００２５】
（構成）
図２において、本発明に係る第２の実施形態を示すタービン湿分除去装置は、第１の実施形態（図１）のタービン湿分除去装置に液膜検知センサを付加したことを特徴とするものである。
【００２６】
すなわち、ダイヤフラム内輪２とダイヤフラム外輪３の間に固定されたタービンノズル１の腹側表面１ａの蒸気の流れ８方向の液膜７が形成される中間部からタービンノズル後縁端に亘る部位に対して周囲の部位よりも若干陥没する段差部１ｂを形成し、この段差部１ｂに電熱部６を貼り付けて構成したタービン湿分除去装置において、さらに電熱部６の近傍例えば、電熱部６の表面のダイヤフラム外輪３側に凹部を設けてそこに液膜検知センサ１４を収容したものである。
【００２７】
そして、電熱部６を電気ケーブル１２により、液膜検知センサ１４をセンサ信号線３０によりそれぞれ制御装置１１Ａに接続する。センサ信号線３０は電気ケーブル１２同様耐熱被覆されていることは言うまでもない。  
なお、電熱部６および液膜検知センサ１４の表面は、周囲の腹側表面１ａの部位と連続するようにかつ、表面が滑らかに加工され翼の摩擦損失が増えないようにしている。
【００２８】
（作用）
制御装置１１Ａは、液膜検知センサ１４からの液膜検知信号を入力したときは、電気ケーブル１２を介して電熱部６に電力を供給して発熱させることにより液膜７を蒸発させ、逆に液膜検知センサ１４からの液膜検知信号が入力されないときには、電熱部６への電力供給を遮断するように機能する。
【００２９】
（効果）
以上述べたように、本実施形態の蒸気タービンの湿分除去装置によれば、電熱部６に加えて液膜検知センサ１４を設け、この液膜検知センサ１４が液膜を検知したとき、又は検知しないときの状況に合わせて電熱部６に供給する電力をオン又はオフさせるように制御したので、湿分除去に使用する電力の消費量を必要最小限に抑えながら、液膜７を蒸発させることによって、タービンの湿り損失を低減させ、効率の良いタービンの提供が可能となる。
【００３０】
［第３の実施形態］
以下、本発明に係る蒸気タービン湿分除去装置の第３の実施形態について、図３（ａ）、（ｂ）を参照して説明する。
【００３１】
（構成）
図３（ａ）、（ｂ）において、本発明に係る第３の実施形態を示すタービン湿分除去装置は、第１の実施形態のタービン湿分除去装置に圧電素子１３を付加したことを特徴とするものである。
【００３２】
すなわち、タービンノズル１の腹側表面１ａの液膜７が形成される中間部からタービンノズル後縁端に亘る部位に形成した段差部１ｂに対して、前述した電熱部６を貼り付けるほかに圧電素子１３を貼り付けるとともに、この圧電素子１３と電熱部６とを接続する導線１２を貼り付けて構成したものである。なお、これら部品の位置関係としては、タービンノズル１の腹側表面１ａの後縁近傍に電熱部６を配置し、それより前縁側に圧電素子１３を配置するようにしている。
【００３３】
本実施形態の場合、電熱部６に給電する電力を圧電素子１３に発生する起電力で賄うようにしたので、前述した第１の実施形態の電気ケーブル１０や電力設定装置１１を省くことができる。
【００３４】
（作用）
低圧段のタービンノズル１では下流に向かって湿り度が増加し、通路部を流れる液滴９はタービンノズル１の腹側に液膜７を形成する。また、ノズル１は通路部の蒸気の流れ８によって圧力を受ける。ノズル１表面に取り付けられた圧電素子１３にはノズル１の受ける蒸気の流れ８の圧力によって起電力が発生する。この圧電素子１３で発生した起電力を導線１２を経て電熱部６に給電することによって電熱部６にジュール熱を発生させて液膜７を蒸発させる。なお、ノズル１は通路部の蒸気流れ８によって微小振動するので、ノズル１の腹側表面１ａに取り付けられた圧電素子１３には、蒸気圧力による起電力と振動エネルギーによって生じた起電力とが加算された起電力が生じる。
【００３５】
（効果）
以上述べたように、本実施形態の蒸気タービンの湿分除去装置によれば、タービンノズル１の腹側表面１ａに貼り付けた圧電素子１３で発生した電力によって電熱部６を発熱させるようにしたので、第１の実施形態が奏する作用効果に加え、電力量設定装置１１および電気ケーブル１０の省略による構成の簡素化を図ることができる。
【００３６】
［第４の実施形態］
以下、本発明に係る蒸気タービン湿分除去装置の第４の実施形態について、図４（ａ）、（ｂ）を参照して説明する。
【００３７】
（構成）
図４（ａ）、（ｂ）において、本発明に係る第４の実施形態を示すタービン湿分除去装置は、タービンノズル１の腹側表面１ａの液膜７が形成される中間部からタービンノズル後縁端に亘る部位に形成した段差部１ｂに対して、電熱部６および圧電素子１３を貼り付けるほかに、タービンノズル１の腹側表面１ａの液膜を感知する液膜検知センサ１４を取付けるように構成したものである。
【００３８】
液膜検知センサ１４の取り付け位置は、例えば前述した第２の実施形態（図２）と同様に電熱部６に形成した凹部内に埋め込むようにしている。  
なお、本実施形態の場合も電熱部６、圧電素子１３および液膜検知センサ１４の表面は腹側表面１ａの周囲の部位と連続するように構成されていることは言うまでもない。
【００３９】
そして、電熱部６は第１の実施形態と同様に電気ケーブル１０を介して図示しない電源装置に接続され、一方、液膜検知センサ１４は動作に必要な電力を圧電素子１３から供給され、液膜検知信号を電熱部６に電気を供給する図示しない電源装置に送られるように構成されている。
【００４０】
（作用）
低圧段のタービンノズル１では下流に向かって湿り度が増加し、通路部を流れる液滴９はタービンノズル１の腹側に液膜７を形成する。また、ノズル１は通路部の蒸気流れ８によって微小振動する。第２の実施形態と同様に、ノズル１表面に取り付けられた圧電素子１３は振動エネルギーによって起電力を発生し、この起電力によってノズル１表面に取り付けた液膜検知センサ１４に電力が供給される。電熱部６は、図示しない電源装置から液膜検知センサ１４の信号に応じた大きさの電力を供給されて発熱し、液膜７を蒸発させる。
【００４１】
（効果）
以上述べたように、本実施形態の蒸気タービンの湿分除去装置によれば、タービンノズル１の腹側表面１ａに電熱部６、圧電素子１３および液膜検知センサ１４を設け、液膜検知センサ１４の出力信号に応じて電熱部６を発熱させるように構成したので、第１、２の実施形態に比べて適切に液膜７を蒸発させることができる。しかも、液膜検知センサ１４の動作に必要な電力は圧電素子１３の発生電力で賄うように構成したので、外部回路との接続構成が簡単になる。その他は、第１の実施形態乃至第３の実施形態の奏する作用効果と同じである。
【００４２】
［第５の実施形態］
以下、本発明に係る蒸気タービン湿分除去装置の第５の実施形態について、図５（ａ）、（ｂ）を参照して説明する。
【００４３】
（構成）
図５（ａ）、（ｂ）において、本発明に係る第５の実施形態を示すタービン湿分除去装置は、タービンノズル１の腹側表面１ａおよびダイヤフラム外輪３の蒸気流れ８に面した位置に圧電素子１３を取付け、さらに、ダイヤフラム外輪３の一部に空間部を設け、この空間部内に蓄電池１５を収容し、この蓄電池１５と電熱部６、圧電素子１３、液膜検知センサ１４を導線１２により電気的に接続するようにしたものである。
【００４４】
（作用）
低圧段のタービンノズル１では下流に向かって湿り度が増加し、通路部を流れる液滴９はタービンノズル１の腹側に液膜７を形成する。また、ノズル１は通路部の蒸気流れ８によって微小振動する。ノズル１表面およびダイヤフラム外輪３表面に取り付けられた圧電素子１３は蒸気流れ８による圧力および振動エネルギーに基づいて起電力を発生し、この起電力を蓄電池１５に蓄える。液膜検知センサ１４および電熱部６には、蓄電池１５に蓄えられた電力が供給される。
【００４５】
（効果）
以上述べたように、本実施形態の蒸気タービンの湿分除去装置によれば、液膜検知センサ１４および電熱部６には蓄電池１５に蓄えられた電力を供給するようにしたので、第１の実施形態のようにタービンケーシング外部から供給する必要はなくなり、その分構成が簡素化される。その他は、第１の実施形態乃至第３の実施形態の奏する作用効果と同じである。
【００４６】
［第６の実施形態］
以下、本発明に係る蒸気タービン湿分除去装置の第６の実施形態について、図６を用いて説明する。
【００４７】
（構成）
図６は本発明に係る第６の実施形態を示すタービン湿分除去装置を示すもので、特に翼長の長い下流側タービン段落を示す図である。
本実施形態のタービン湿分除去装置は、液滴の流れる軌跡に対応して電熱部６をダイヤフラム外輪３側（またはケーシング側）に偏って配置することを特徴とするものである。
【００４８】
（作用）
蒸気の流れ８は図示のように、第１タービン段落（ノズル１１、羽根４１）から第２タービン段落（ノズル１２、羽根４２）さらに第３タービン段落（ノズル１３、羽根４３）へと進むにつれてタービンノズル１および羽根４の長さが大きくなることから、各タービン段落を通過する蒸気もダイヤフラム外輪３側（またはケーシング側）へ広がる。しかも蒸気の流れ８は、羽根４を回転させる仕事を行うため、徐々にエネルギーを失い、凝縮して液滴となる。
【００４９】
例えば、第２タービン段落の羽根４２から飛散した液滴は、羽根４２の遠心力により、破線矢印２８のようにダイヤフラム外輪３側（またはタービンケーシング側）へ向かうため、下流の第３タービン段落のノズル１３に衝突して液膜となる位置は、第３タービン段落のノズル１３の翼高さ２９方向のほぼ中央部からダイヤフラム外輪３側（またはケーシング側）にかけての位置が多い。
【００５０】
このため、本実施形態は、電熱部６をダイヤフラム内輪２からダイヤフラム外輪３に亘って配置せずに、翼高さ２９方向のほぼ中央部からダイヤフラム外輪３側（またはケーシング側）に偏って配置するようにしたものである。
【００５１】
（効果）
以上のように構成したことにより、翼高さ２９のほぼ中央部からダイヤフラム外輪３側（またはケーシング側）にかけて多く存在する液膜７を集中的に加熱することができ、しかも、電熱部６の面積を小さくして必要な箇所のみに加熱することができるので、液膜蒸発のために使用する熱量すなわち電力を少なくすることが可能となる。さらに、電熱部６を広範囲に設けることが無いため、コストダウンが可能となる。  
その他は、第１の実施形態の奏する作用効果と同じである。
【００５２】
［第７の実施形態］
以下、本発明に係る蒸気タービン湿分除去装置の第７の実施形態について、図７を用いて説明する。
【００５３】
（構成）
図７において、本発明に係る第７の実施形態を示すタービン湿分除去装置は、液滴の流れる軌跡に対応して電熱部６および液膜検知センサ１４をダイヤフラム外輪３側（またはケーシング側）に偏って配置することを特徴とするものである。
【００５４】
すなわち、電熱部６はタービンノズル１の腹側表面１ａの後端縁付近にダイヤフラム外輪３側に高さ方向に３個ずつ２列（合計６個）配置し、かつ各電熱部６を囲むように液膜検知センサ１４を取り付ける。そして、電熱部６を電気ケーブル１２により、液膜検知センサ１４をセンサ信号線３０によりそれぞれ制御装置１１Ａに接続する点は第２の実施形態（図２）と同じである。なお、加熱装置３３および液膜検知センサ１４の数は図示の例に限定されるものではなく、複数でも単数でもよい。
【００５５】
（作用）
液膜検知センサ１４から得られる情報はセンサ信号線３０を介して制御装置１１Ａに送られる。制御装置１１Ａでは、液膜検知センサ１４から得た情報に基づいて演算して液膜の分布を推定し、その推定結果に基づいてどの部位の加熱装置に電気を送るかを判断する。そして、その判断結果に基づいて電気ケーブル１０を介して対応する加熱装置６に給電し、発熱させる。
【００５６】
以上述べたように、本実施形態の蒸気タービンの湿分除去装置によれば、液膜検知センサ１４から得た情報に基づいて液膜の分布を推定し、その液膜が存在する場所を選択して加熱することによって液膜を蒸発させることができる。この結果、液膜の存在していない場所を加熱することはないので、必要最小限の電力で効率よく液膜の蒸発を行なうことができる。その他は、第１の実施形態乃至第２の実施形態の奏する作用効果と同じである。
【００５７】
以上述べた実施形態は、例として提示したものであって、発明の範囲を限定することは意図していない。これらの実施形態は、その他の様々な形態で実施されることが可能であり、発明の要旨を逸脱しない範囲で、種々の省略、置き換え、変更を行うことができる。また、これらの実施形態やその変形は、発明の範囲や要旨に含まれるとともに、特許請求の範囲に記載された発明とその均等の範囲に含まれるものである。
【符号の説明】
【００５８】
１…タービンノズル、２…ダイヤフラム内輪、３…ダイヤフラム外輪、４…羽根、５…タービンロータ、６…電熱部、７…液膜、８…蒸気の流れ、９…液滴、１０…電気ケーブル、１１…電力量設定装置、１２…導線、１３…圧電素子、１４…液膜検知センサ、１５…蓄電池、２８…液滴の流れ、２９…翼高さ、３０…信号線、３６…蒸気の流線、３７…最終前段羽根後縁端、３８…湿分の流線、３９…タービンノズル前縁端、４０…水膜、４１…タービンノズル後縁端、４２…最終段羽根前縁端、４３…細流、４４…水滴、４５…スリット。
【図１】
0005703082.tif 000002
【図２】
0005703082.tif 000003
【図３】
0005703082.tif 000004
【図４】
0005703082.tif 000005
【図５】
0005703082.tif 000006
【図６】
0005703082.tif 000007
【図７】
0005703082.tif 000008
【図８】
0005703082.tif 000009
【図９】
0005703082.tif 000010